(57)【要約】【課題】通信線を接続する端子台に逆方向から通信線が接続されるのを防止する構造を備えたリモコン装置を提供する。【解決手段】電装基板５を収容するリモコン本体２と、リモコン本体２を壁面Ｗに取り付ける基台金具３とで構成されたリモコン装置１において、電装基板５の背面側に通信線６を接続する端子台７を備えるとともに、基台金具３に貫通孔３ａを形成する。そして、端子台７の通信線導入側として規定された側とは反対側の端部を貫通孔３ａの周縁部に近接させて配設し、この端部近傍の基台金具３と電装基板５との間隔が通信線６の直径よりも狭くなるように間隔調整部１２で設定することにより、通信線６が逆挿された状態ではリモコン本体２が基台金具３に取り付けられないようにする。【選択図】図２
2014090366.tif 000002
【特許請求の範囲】
【請求項１】
背面側が開口された本体ケース内に電装基板が収容されているリモコン本体と、このリモコン本体を壁面に取り付けるための基台金具とで構成され、
前記電装基板の背面側に通信線を接続するための端子台が備えられるとともに、前記基台金具に前記通信線を外部に引き出すための貫通孔が形成されているリモコン装置において、
前記端子台において前記通信線を導入する側として規定された側の端部とは反対側の端部が前記基台金具の貫通孔の周縁部に近接して配設されるとともに、この反対側の端部の近傍における前記基台金具と前記電装基板の間隔を前記通信線の直径よりも狭くする間隔調整部が備えられていることを特徴とするリモコン装置。
【請求項２】
前記間隔調整部は、前記基台金具の貫通孔の周縁部の一部を前記電装基板側に曲折することによって形成されることを特徴とする請求項１に記載のリモコン装置。
【請求項３】
前記間隔調整部は、前記電装基板を貫通して電装基板の背面側に突出するように前記本体ケースの一部を形成してなることを特徴とする請求項１に記載のリモコン装置。
【発明の詳細な説明】
【技術分野】
【０００１】
この発明はリモコン装置に関し、より詳細には、壁面設置タイプの有線式リモコン装置における通信線の施工技術に関する。
【背景技術】
【０００２】
従来、給湯装置などの被操作機器の遠隔操作に用いるリモコン装置には、被操作機器とリモコン装置とが通信線によって有線接続されるリモコン装置が提供されている。そして、この種の有線式のリモコン装置には壁面に設置するタイプのものがあり、このような壁面設置型のリモコン装置では、壁面に固定された基台金具に、電装基板などが収容されたリモコン本体が着脱自在に取り付けられている。
【０００３】
ところで、このような壁面設置型の有線式のリモコン装置では、リモコン装置に接続する通信線はリモコン装置の背面側から接続するように構成されている。図５はこのようなリモコン装置における通信線の接続例を示している。
【０００４】
この図５において、ａはリモコン本体を壁面に取り付けるための基台金具、ｂはリモコン本体のケースに収容される電装基板、ｃは電装基板ｂに備えられた端子台ｄに接続する通信線ｃを示しており、図示されるように、この種のリモコン装置では、通信線ｃを接続する端子台ｄが電装基板ｂの背面側に基台金具ａに面して配設される。そして、この基台金具ａには通信線ｃを外部に引き出すための貫通孔ｅが形成されており、この貫通孔ｅを通して通信線ｃが電装基板上の端子台ｄに接続されるようになっている（たとえば、特許文献１参照）。
【先行技術文献】
【特許文献】
【０００５】
【特許文献１】特許第３５１７３２１号公報の図４および図５参照
【発明の概要】
【発明が解決しようとする課題】
【０００６】
しかしながら、このような従来の構成には以下のような問題があり、その改善が望まれていた。
【０００７】
すなわち、この種のリモコン装置の端子台ｄは、通信線ｃに備えられる接続端子ｆを端子台ｄに導入・接続する側があらかじめ規定されているが、施工者が誤ってこの導入側とは異なる側から通信線ｃの接続端子ｆを端子台ｄに接続することがある。特に、通信線ｃに備えられる接続端子ｆが図示のようなＹ字端子である場合、規定された導入側とは反対の側から接続端子ｆが取り付けられることがあった（図５の接続端子ｆａ参照）。
【０００８】
そして、このように誤った側から接続端子ｆが接続されると、当該接続端子ｆと基台金具ａとが電気的に接触する可能性があり、このような接触によって電装基板ｂに備えられた電子部品ｇが破損するおそれがあった。特に、給湯装置のリモコン装置においては、給湯装置との通信線ｃが電源線を兼ねる２芯の通信線で構成される（電源重畳通信方式が採用される）ことから、通信線ｃの接続端子ｆが基台金具ａと接触するのは好ましくない。なお、図５のｈは、接続端子ｆと通信線ｃの接続部分を被覆する絶縁性カバーを示しているが、このカバーｈを備えていない、あるいは、このカバーｈが破損している場合には、接続端子ｆ（または接続端子ｆと通信線ｃとの接続部分（かしめ部分）と基台金具ａとが接触する可能性が高まっていた。
【０００９】
本発明は、このような問題点に鑑みてなされたものであって、その目的とするところは、通信線を接続する端子台に逆方向から通信線が接続されるのを防止する構造を備えたリモコン装置を提供することにある。
【課題を解決するための手段】
【００１０】
上記目的を達成するため、本発明に係るリモコン装置は、背面側が開口された本体ケース内に電装基板が収容されているリモコン本体と、このリモコン本体を壁面に取り付けるための基台金具とで構成され、上記電装基板の背面側に通信線を接続するための端子台が備えられるとともに、上記基台金具に上記通信線を外部に引き出すための貫通孔が形成されているリモコン装置において、上記端子台において上記通信線を導入する側として規定された側の端部とは反対側の端部が上記基台金具の貫通孔の周縁部に近接して配設されるとともに、この反対側の端部の近傍における上記基台金具と上記電装基板の間隔を上記通信線の直径よりも狭くする間隔調整部が備えられていることを特徴とする。
【００１１】
すなわち、本発明に係るリモコン装置では、端子台において通信線導入側として規定された側とは反対側の端部が基台金具の貫通孔の周縁部に近接して配設されることから、この規定された側の反対側から通信線を端子台に接続すると、当該通信線の基端側（被操作機器側）が基台金具の貫通孔の周縁部に重なるように配設されることになる。
【００１２】
そして、端子台の通信線導入側とは反対側の端部近傍の基台金具と電装基板の間隔（両者の隙間）が間隔調整部によって通信線の直径よりも狭く設定されているので、通信線導入側とは反対側から端子台に通信線を接続した状態でリモコン本体を基台金具に取り付けようとすると、基台金具と電装基板との間に介在する通信線が両者の間に挟まって、リモコン本体の取り付けを阻害するように作用し、リモコン本体を基台金具に取り付けることができなくなる。
【００１３】
つまり、本発明に係るリモコン装置では、規定された側から通信線を端子台に接続しなければリモコン本体を基台金具に正常に取り付けることができないので、施工者に正しい側からの通信線の接続が促され、通信線の反対側からの接続が解消される。
【００１４】
そして、本発明はその好適な実施態様として、上記間隔調整部は、上記基台金具の貫通孔の周縁部の一部を上記電装基板側に曲折することによって形成されることを特徴とする。
【００１５】
すなわち、この実施態様のリモコン装置では、基台金具と電装基板の間隔を設定する間隔調整部が、基台金具の貫通孔の周縁部の一部を曲折するだけで形成されるので、間隔調整部の付加に伴って追加される工程は容易かつ簡単なものとなり、本発明を適用したリモコン装置を安価に提供することことができる。
【００１６】
また、本発明は他の好適な実施態様として、上記間隔調整部は、上記電装基板を貫通して電装基板の背面側に突出するように上記本体ケースの一部を形成してなることを特徴とする。
【００１７】
すなわち、この実施態様のリモコン装置では、上記間隔調整部が本体ケースの一部によって形成されるので、間隔調整部の付加に伴う設計変更は、本体ケースの一部の形状変更と電装基板への貫通孔の形成だけの簡単な変更となり、本発明を適用したリモコン装置を安価に提供することができる。
【発明の効果】
【００１８】
本発明によれば、端子台の通信線導入側とは反対側の端部が基台金具の貫通孔の周縁部に近接して配設されるとともに、端子台の通信線導入側とは反対側の端部近傍の基台金具と電装基板の間隔が通信線の直径よりも狭く設定されることから、通信線導入側とは反対の側から端子台に通信線を接続した状態ではリモコン本体を基台金具に取り付けることができないので、端子台に反対側から通信線が接続される誤施工が解消される。
【図面の簡単な説明】
【００１９】
【図１】本発明に係るリモコン装置における通信線接続用の端子台付近の構造の一例を示す部分拡大斜視図である。
【図２】同リモコン装置の概略構成を模式的に示した縦断面図である。
【図３】同リモコン装置の他の実施形態を模式的に示した縦断面図である。
【図４】同リモコン装置の他の実施形態におけるリモコン本体の構造を模式的に示した横断面図である。
【図５】従来のリモコン装置における端子台への通信線の誤接続の一例をリモコン装置の背面側から示した部分拡大説明図である。
【発明を実施するための形態】
【００２０】
以下、本発明の実施形態を図面に基づいて詳細に説明する。
実施形態１
図１は本発明に係るリモコン装置における通信線接続用の端子台付近の構造を示しており、また、図２は同リモコン装置の概略構成を模式的に示している。
【００２１】
これらの図に示すリモコン装置１は、図示しない給湯装置を有線方式で遠隔操作するための操作装置であって、リモコン本体２と、リモコン本体２を壁面Ｗに取り付けるための基台金具３とで構成されている。
【００２２】
リモコン本体２は、リモコン装置１が操作装置として機能するための電子部品等を収容してなるリモコン装置１の本体部分であって、背面が開口された略矩形箱型の本体ケース４と、この本体ケース４内に収容される電装基板５とを主要部として構成されている。
【００２３】
ここで、本体ケース４の詳細な説明は省略するが、この本体ケース４はＡＢＳ樹脂などの合成樹脂等で形成されており、その正面には後述する電装基板５に備えられる電子部品と連係する各種操作スイッチや表示用のディスプレイなどが配設されるようになっている（なお、操作スイッチやディスプレイなどの図示は省略する）。
【００２４】
本実施形態に示すリモコン装置１における本体ケース４は、図２に示すように、その背面側を全面的に開口させた構成を採用している。すなわち、本実施形態に示す本体ケース４は背面側に設けられる底板部を省略した構造となっており、本体ケース４が直接基台金具３に取り付けられるように構成することで、リモコン装置１の厚みを薄くしている。なお、本体ケース４の背面側に底板部を備える構成を採用することも可能であるが、その場合でも底板部には後述する通信線６を挿通するための開口が形成される。つまり、本体ケース４の背面側が開口される点では底板部を備える構成と底板部を備えない構成とで相違はない。
【００２５】
電装基板５は、リモコン装置１が操作装置として機能するために必要な各種電子部品を実装する基板であって、この電装基板５は本体ケース４内に収容された状態で本体ケース４に取付固定される。そして、この電装基板５の正面側、つまり、本体ケース４側には操作スイッチの接点や表示部のディスプレイなどが配設され、その背面側、すなわち、基台金具３側には給湯装置との通信線６を接続するための端子台７などの各種電子部品が実装されている。
【００２６】
端子台７は、リモコン装置１の外部から引き込まれる通信線６を電装基板５に電気的に接続するための接続部であって、本実施形態では、この端子台７としてＹ字端子の接続が可能なねじアップ式の端子台が用いられている。なお、図１の符号８は、ねじアップ式のねじ、つまり、端子台７にＹ字端子などの接続端子９を接続・固定するためのねじを示している。
【００２７】
ここで、端子台７に関連して通信線６について説明する。本実施形態に示すリモコン装置１は、通信線６を介して給湯装置から電源供給を受けるように構成されている。そのため、この通信線６には２芯の通信ケーブルが使用されており、２芯の各芯線６ａ，６ｂに対応して端子台７も１対（２個）設けられている。そして、通信線６においてリモコン装置１に接続される側（通信線６の先端側）の端部は、各芯線６ａ，６ｂごとに分離され、分離された各芯線６ａ，６ｂの先端に端子台７と接続するための接続端子９がそれぞれ備えられている。なお、図示例では、この接続端子９としてＹ字端子を用いた場合を示しており、Ｙ字端子と通信線６との接続部分には、当該接続部分を被覆・絶縁する絶縁性カバー１０がそれぞれ装着されている。
【００２８】
そして、これら１対の端子台７の電装基板５における配設位置ならびに端子台７における通信線６の導入側（接続端子９が挿入される側）は、後述する基台金具３に形成される貫通孔３ａの位置との関係で決められている。
【００２９】
すなわち、各端子台７は、通信線６の接続端子９を接続した状態で当該通信線６の基端側を基台金具３の貫通孔３ａから外部に引出し可能な位置に配設される。また、端子台７における通信線６の導入側は、通信線６を端子台７に接続したときに、当該通信線６の金属部分（具体的には、接続端子９の金属部や通信線６との接続部分（かしめ部分）など）が基台金具３や電装基板５に配置された電子部品等と電気的に接触するおそれのない側が通信線６の導入側として規定される。つまり、端子台７における通信線６の導入側は、電装基板５における電子部品等の配置などに応じてあらかじめ所定の一側（図１に示す例では芯線６ａが接続されている紙面において左側）に規定されている。なお、図１において、芯線６ｂは、通信線６の導入側とは反対側から通信線６を接続した状態（通信線６の逆挿状態）を図示している。
【００３０】
そして、このような端子台７の配設位置および端子台７における通信線６の導入側の規定に関連して、本実施形態に示すリモコン装置１では、さらに、端子台７に対して通信線６が規定された導入側とは反対側から導入・接続されるのを防止するために、端子台７における通信線６の導入側の端部とは反対側の端部が基台金具３の貫通孔３ａの周縁部に近接するように配設されている。つまり、図１に示すように、各端子台７の通信線導入側とは反対側の端部（図１における端子台７の右側の端部）を基台金具３の貫通孔３ａの周縁部に接近させて配設している（この点についての詳細は後述する）。
【００３１】
また、各端子台７，７の間には、一方の端子台７に接続された接続端子９が隣接する他方の端子台７（または他方の端子台７に接続された接続端子９）と電気的に接触するのを防止するために、両者の間を遮る絶縁性の接触防止壁部１１が備えられている。本実施形態では、この接触防止壁部１１は、本体ケース４の一部を電装基板５側に向かって起立状に延出形成することによって形成されており、この延出形成された部分は電装基板５に設けられた貫通孔（図示せず）を通って電装基板５の背面側に突出するように構成されている。
【００３２】
一方、基台金具３は、リモコン本体２を壁面Ｗに取り付けるときの土台となる部材であって、この基台金具３は、一枚の金属製の板材を所定の形状に加工（打抜き、切欠き、曲折等）することによって形成されている。
【００３３】
具体的には、この基台金具３は、その全体が本体ケース４の内側に入る大きさに構成されており、少なくとも、同金具３を壁面Ｗに固定するための固定部（たとえば、ビス止め用の貫通孔）と、リモコン本体２を基台金具３に着脱自在に取り付けるための係合部とを有するとともに（固定部、係合部の構造は公知であるので説明は省略する）、壁面Ｗに固定された基台金具３にリモコン本体２を取り付けたときに、上述した端子台７，７と対面する位置に、通信線６の基端側を壁面Ｗ内などリモコン装置１の外部に引き出すための貫通孔３ａが形成されている。
【００３４】
そして、本実施形態では、この基台金具３の一部を利用して端子台７に対する通信線６の反対側からの導入・接続（逆挿）を防止するように構成されている。すなわち、本実施形態では、この基台金具３の一部を電装基板５側に曲折することによって、端子台７の通信線導入側とは反対側の端部の近傍における基台金具３と電装基板５との間隔が、通信線６の直径よりも狭くなるように構成されている。つまり、本実施形態では、基台金具３の曲折された部位を用いて基台金具３と電装基板５の間隔を通信線の直径よりも狭く設定する間隔調整部１２が形成されている。
【００３５】
ここで、「通信線の直径」とは、間隔調整部１２によって基台金具３と電装基板５の間隔が狭められた位置（図２，図３の符号Ｌ参照）に介在することになる通信線の直径の意味であって、間隔調整部１２の位置に通信線６の本体部分が介在する場合には当該通信線６本体部分の直径を、また、間隔調整部１２の位置に通信線６の絶縁性カバー１０が介在する場合は絶縁性カバー１０の高さ、つまり、絶縁性カバー１０を含んだ通信線６の直径を、さらに、間隔調整部１２の位置に通信線６の芯線６ａ，６ｂが介在する場合は芯線６ａ，６ｂの直径、つまり、芯線６ａ，６ｂごとに分離された状態の通信線、さらに、間隔調整部１２の位置に通信線６と接続端子９の接続部分（かしめ部分）が介在する場合には当該かしめ部分の高さ、つまり接続端子９を含む通信線６の直径をそれぞれ意味している。
【００３６】
本実施形態での間隔調整部１２は、基台金具３の貫通孔３ａの周縁部において、上記端子台７と隣接する部分を電装基板５側に向けて曲折するとともに、この曲折された部分の先端面と電装基板５の背面側の表面との距離（つまり、基台金具３と電装基板５の隙間Ｌ（図２参照））が、上記通信線６の直径よりも狭くなる（小さくなる）ように設定している。
【００３７】
そのため、本実施形態に示すリモコン装置１では、端子台７に対して通信線６の導入側として規定された側（通信線導入側）とは反対側から通信線６が接続されると（図１における芯線６ｂの接続状況参照）、この状態でリモコン本体２を基台金具３に取り付けようとしても、基台金具３と電装基板５との間に介在する通信線６（図示例では芯線６ｂ）が間隔調整部１２によって狭められた両者の間に挟まって、基台金具３へのリモコン本体２の取り付けが阻害される。
【００３８】
つまり、本実施形態に示すリモコン装置１では、端子台７に正しい向きで通信線６を導入・接続した場合にはリモコン本体１の基台金具３への取り付けが可能であるが、規定された側とは反対の側から通信線６が導入・接続されている場合には、リモコン本体２の基台金具３への取り付けが正しく行われないようになっており、施工者に端子台７への通信線６の正しい施工が促されるようになっている。そのため、本実施形態に示すリモコン装置１では、端子台７に反対側から通信線６が導入・接続される誤施工が解消される。
【００３９】
実施形態２
次に、本発明の第２の実施形態を図３に基づいて説明する。
本実施形態に示すリモコン装置１は、上述した実施形態１に示すリモコン装置１の間隔調整部１２の構成を改変している。具体的には、本実施形態では、間隔調整部１２を本体ケース４と電装基板５とで構成するようにしている。なお、その他の構成は実施形態１に示すリモコン装置１と同様であるので、構成が共通する部分には同一の符号を付して説明を省略する。
【００４０】
図３は本実施形態に係るリモコン装置１の概略構成を示しており、この図３に示すように、本実施形態では、本体ケース４の一部を電装基板５側に起立させて構成するとともに、この起立した部位が電装基板５を貫通して電装基板５の背面側に突出して間隔調整部１２を構成するようにしている。
【００４１】
すなわち、この図３に示すリモコン装置１では、本体ケース４の電装基板５に対面する面から板状の部材を立ち上げるとともに、電装基板５側はこの板状の部材を挿通する貫通孔を形成している。そして、電装基板５から突出する板状の部位の先端面と基台金具３との間隔Ｌが通信線６（具体的には、通信線６の各芯線６ａ，６ｂ）の直径よりも狭くなるようにしている。
【００４２】
なお、このように本体ケース４側に間隔調整部１２を設ける場合であっても、当該間隔調整部１２が形成される位置は、実施形態１と同様に、端子台７の通信線６の導入側とは反対側の端部の近傍に配設され、これにより、この端部近傍における基台金具３と電装基板５との間の間隔Ｌが通信線６の直径よりも狭くなるように構成される。
【００４３】
したがって、この第２の実施形態に示すリモコン装置１においても、端子台７に通信線６が逆挿された状態ではリモコン本体２を基台金具３に取り付けることができず、施工者に端子台７への通信線６の正しい施工が促されるのは実施形態１と同様である。
【００４４】
実施形態３
次に、本発明の第３の実施形態を図４に基づいて説明する。
この第３の実施形態に示すリモコン装置１は、端子台７への通信線６の逆挿を防止するにあたり、上述した実施形態１，２に示す間隔調整部１２に代えて、端子台７への通信線６の逆挿を直接的に阻害する逆挿規制壁部１２′を設けている。なお、その他の構成は実施形態１，２に示すリモコン装置１と同様であるので、構成が共通する部分には同一の符号を付して説明を省略する。
【００４５】
図４は、本実施形態に係るリモコン装置１のリモコン本体２の構造の概略構成を示しており、この図に示すように、本実施形態に係るリモコン装置１では、本体ケース４の内壁に端子台７への通信線６の逆挿を防止する逆挿規制壁部１２′が備えられている。
【００４６】
この逆挿規制壁部１２′は、端子台７の配設方向、すなわち、端子台７に対する通信線６の導入・接続方向と直交して設けられる板状の部材で構成されており、この板状の部材が端子台７の通信線導入側とは反対側の端部に近接して配設されることによって、端子台７への通信線６の逆挿が阻害されるようになっている。
【００４７】
本実施形態では、この逆挿規制壁部１２′は、図４に示すように、本体ケース４の内壁から内側に向かって板状の部位を起立して設けることによって構成されている。そして、その具体的な形状については、たとえば図４に示すように、電装基板５を本体ケース４に収容した状態において、逆挿規制壁部１２′が電装基板５の背面側の面からわずかに浮いた状態（具体的には、電装基板５を本体ケース４内に収容するにあたり、この逆挿規制壁部１２′を避けて電装基板５を斜め方向からスライドさせて収容可能な程度の隙間ができる状態）で配設されている。そして、本実施形態では、この逆挿規制壁部１２′は、図４に示すように、電装基板５を斜め方向からスライドさせて本体ケース４に挿入できるように、スライドさせる入口側が広く、奥側が狭くなるような略テーパ形状に構成され、電装基板５の挿入が容易となるように構成している。
【００４８】
このように逆挿規制壁部１２′が形成されることにより、本実施形態に示すリモコン装置１においても端子台７への通信線６の逆挿が阻害され、施工者に対して端子台７への通信線６の正しい施工が促される。
【００４９】
なお、上述した実施形態は本発明の好適な実施態様を示すものであって、本発明はこれらに限定されることなく発明の範囲内で種々の設計変更が可能である。
【００５０】
たとえば、上述した実施形態では端子台７に接続される接続端子９としてＹ字端子を用いた場合を示したが、Ｙ字以外の形状の接続端子が用いられていてもよいことは勿論のこと、接続端子９を用いずに通信線６の芯を直接端子台７に接続するような場合であっても本発明は適用可能である。
【００５１】
また、上述した実施形態では、端子台７に接続される通信線６が電源線を兼ねる構成を示したが、本発明はこのような電源線を兼ねる通信線に限らず、通信のみを行う通信線や信号線など他の態様の通信線にも適用可能である。
【符号の説明】
【００５２】
１            リモコン装置
２            リモコン本体
３            基台金具
４            本体ケース
５            電装基板
６            通信線
６ａ，６ｂ    通信線の芯線
７            端子台
９            接続端子
１０          絶縁性カバー
１１          接触防止壁部
１２          間隔調整部
１２′        逆挿規制壁部
【図１】
2014090366.tif 000003
【図２】
2014090366.tif 000004
【図３】
2014090366.tif 000005
【図４】
2014090366.tif 000006
【図５】
2014090366.tif 000007